(57)【特許請求の範囲】
【請求項１】
音声出力手段及び音声入力手段と、所定の情報を出力表示する表示手段と、押圧に応じて所定の指示情報を入力する複数の操作キーでなる指示入力手段とを有する移動通信端末装置を内部空間に収納する収納ケースにおいて、
硬質な樹脂材により形成されてなるケース本体を所定位置で２分割した構成でなり、当該分割端面を互いに当接することにより上記内部空間を形成する第１及び第２のケース本体半体と、
上記第１のケース本体半体に上記音声出力手段と対向する位置で形成した貫通孔でなる第１の開口部と、
上記第１のケース本体半体に上記音声入力手段と対向する位置で形成した貫通孔でなる第２の開口部と、
上記第１のケース本体半体に上記表示手段と対向する位置で設けた透過性の部材でなる表示窓と、
上記第１のケース本体半体に上記指示入力手段と対向する位置で配した複数の押圧ボタンでなり、ケース外側方向からの押圧に応じて上記操作キーの方向に可動して、対応する上記操作キーを上押しする間接入力部と
を具え、
上記押圧ボタンの各間隔及び大きさは、上記操作キーの各間隔及び大きさに比して大であり、かつ、上記押圧ボタンの表面に印字される文字は、上記操作キーの表面に印字される文字に比して大である
ことを特徴とする収納ケース。
【請求項２】
上記押圧ボタンには、ケース外側方向からの押圧に応じて上記操作キーの中央を上押しする位置に凸部が形成された
ことを特徴とする請求項１に記載の収納ケース。
【請求項３】
上記表示窓は、
上記表示手段に対する対向面が球形状に湾曲した凹部でなる
ことを特徴とする請求項１に記載の収納ケース。
【請求項４】
上記表示窓は、
上記表示手段に対する対向面の裏面が球形状に湾曲した凸部でなる
ことを特徴とする請求項１に記載の収納ケース。
【請求項５】
上記第１のケース本体半体は、
上記第１の開口部及び上記第２の開口部に防水シートを有する
ことを特徴とする収納ケース。
【請求項６】
上記第２のケース本体半体及び又は上記第１のケース本体半体は、
上記分割端面上にパツキングを配してなる
ことを特徴とする請求項１に記載の収納ケース。
【請求項７】
上記第１及び第２のケース本体半体は、
収納時に上記移動通信端末装置を支持する弾性部材
を具えることを特徴とする請求項１に記載の収納ケース。
【請求項８】
上記第1及び第２のケース本体半体は、上記分割端面を形成する4辺のうち一の辺で接続され、当該一の辺を軸として開閉自在でなり、
上記第1及び第２のケース本体半体の当接面を固定するロツク機構を、上記一の辺と対向する対向辺に具え、
上記ロツク機構は、
上記第２のケース本体半体の上記対向辺に沿つて上記ケース外側方向に形成された第１の凸部と、上記第１のケース本体半体の上記対向辺に沿つて、上記ケース外側方向に上記第１の凸部に比して短く形成された第２の凸部と、上記第1の凸部にスライド自在に形成され、上記第２の凸部の位置で上記第1の凸部及び第２の凸部を共に把持して上記第1及び第２のケース本体半体の当接面を固定するロツク部とによつて構成された
ことを特徴とする請求項１に記載の収納ケース。
【請求項９】
音声出力手段及び音声入力手段と、所定の情報を出力表示する表示手段と、押圧に応じて所定の指示情報を入力する複数の操作キーでなる指示入力手段とを有する移動通信端末装置と、
硬質な樹脂材により形成されてなるケース本体を所定位置で２分割した構成でなり、当該分割端面を互いに当接することにより上記内部空間を形成する第１及び第２のケース本体半体と、当該第１のケース本体半体に上記音声出力手段と対向する位置で形成した貫通孔でなる第１の開口部と、上記第１のケース本体半体に上記音声入力手段と対向する位置で形成した貫通孔でなる第２の開口部と、上記第１のケース本体半体に上記表示手段と対向する位置で設けた透過性の部材でなる表示窓と、上記第１のケース本体半体に上記指示入力手段と対向する位置で配した複数の押圧ボタンでなり、ケース外側方向からの押圧に応じて上記操作キーの方向に可動して、対応する上記操作キーを上押しする間接入力部とを有し、上記移動通信端末装置を内部空間に収納する収納ケースと
を具え、
上記押圧ボタンの各間隔及び大きさは、上記操作キーの各間隔及び大きさに比して大であり、かつ、上記押圧ボタンの表面に印字される文字は、上記操作キーの表面に印字される文字に比して大である
ことを特徴とする端末システム。
【発明の詳細な説明】
【０００１】
【目次】
以下の順序で本発明を説明する。
発明の属する技術分野
従来の技術（図９）
発明が解決しようとする課題
課題を解決するための手段
発明の実施の形態
（１）第１実施例（図１〜図４）
（２）第２実施例（図５及び図６）
（３）他の実施例（図７及び図８）
発明の効果
【０００２】
【発明の属する技術分野】
本発明は収納ケース及び端末システムに関し、例えば移動通信端末装置を収納して保護する収納ケース及び端末システムに適用して好適なものである。
【０００３】
【従来の技術】
近年、移動通信端末装置は、その利便性から普及が拡大している。移動通信端末装置は無線信号によつて基地局と送受信を行い、当該基地局を介して他の基地局又は公衆電話回線と回線接続することにより他の移動通信端末装置又は電話機と電話通信を行う。このように移動通信端末装置は基地局を介して公衆電話回線に回線接続するようになされているため、基地局の送受信圏内であれば屋外等の様々な場所で電話通信を行うことができ、通常の電話機のように設置場所に限定されずに使用し得る。
ここで移動通信端末装置は上述したように、屋外等での使用を主目的としているため、その特徴である携帯性をより向上して持ち運びを容易にし得るように、小型化及び軽量化が要求されている。
【０００４】
図９において、１は全体として移動通信端末装置を示し、ほぼ直方形状でなる本体上部に配されたスピーカ２及び本体下部に配されたマイク３を介して音声を入出力することにより送受話を行うようになされている。移動通信端末装置１は上部周側面の所定位置にアンテナ４を配しており、アンテナ４を介して基地局から送信される信号を受信し又送信する信号を放射出力して基地局に送信する。また移動通信端末装置１は中央部に数字キー５及び表示部６を配しており、数字キー５を押圧することにより電話番号等の入力を行い、表示部６に当該電話番号や各種メツセージ等を表示するようになされている。
またスピーカ２の近傍にはＬＥＤ７が設けられており、着信時にスピーカ２から着信音を出力すると共にＬＥＤ７を点滅することによつて、ユーザに着信を報知するようになされている。
【０００５】
【発明が解決しようとする課題】
ところでかかる構成の移動通信端末装置１においては、上述したように、小型化及び軽量化による携帯性の向上が求められているが、これに伴つて機能が削除されたり使い易さが低下する場合が生じるという問題がある。
すなわち移動通信端末装置１を小型化した場合、数字キー５及び表示部６の大きさも小型化されることになる。例えば数字キー５を小型化した場合は、各キーの大きさが小さくなると共に各キー間の間隔が狭まることになり、所望のキーを押圧しようとして隣接するキーを押圧してしまう等の誤操作を生じることになる。またこの場合、キー表面に印字された文字も小さくなり視認性が低下する。同様に表示部６を小型化した場合は表示される文字や数字が小さくなり、表示が見難くなる。
また例えば回路又は構成を簡易化することで移動通信端末装置１を小型化及び軽量化しようとする場合、必要最小限な機能のみが残されて、それ以外の機能は上述したように削除されることになる。
【０００６】
また移動通信端末装置１を携帯して持ち運ぶ際にソフトケースに入れた状態でユーザが身体に装着して携帯する場合があるが、このような場合、装置本体のデザインを隠してしまう場合がある。さらにこのようなソフトケースとしては材質的に強度の低いものがあるために対衝撃性に乏しく、また比較的開放部の多い形状のものでは防水性が低く、移動通信端末装置１に汚れが付着し易い。また実際に移動通信端末装置１を使用する場合にケースから取り出して使用するものでは、使用時に落下等により移動通信端末装置１に与えられる衝撃や風雨等による濡れや汚れの付着を防止することができない。
【０００７】
本発明は以上の点を考慮してなされたもので、移動通信端末装置を収納して保護し得ると共に収納状態で移動通信端末装置を使用し得る収納ケース及び端末システムを提案しようとするものである。
【０００８】
【課題を解決するための手段】
かかる課題を解決するため本発明においては、音声出力手段及び音声入力手段と、所定の情報を出力表示する表示手段と、押圧に応じて所定の指示情報を入力する複数の操作キーでなる指示入力手段とを有する移動通信端末装置を内部空間に収納する収納ケースにおいて、硬質な樹脂材により形成されてなるケース本体を所定位置で２分割した構成でなり、当該分割端面を互いに当接することにより内部空間を形成する第１及び第２のケース本体半体と、第１のケース本体半体に音声出力手段と対向する位置で形成した貫通孔でなる第１の開口部と、第１のケース本体半体に音声入力手段と対向する位置で形成した貫通孔でなる第２の開口部と、第１のケース本体半体に表示手段と対向する位置で設けた透過性の部材でなる表示窓と、第１のケース本体半体に指示入力手段と対向する位置で配した複数の押圧ボタンでなり、ケース外側方向からの押圧に応じて操作キーの方向に可動して、対応する操作キーを上押しする間接入力部とを設ける。
【０００９】
ケース本体内に移動通信端末装置を収納して保護し得ると共に、音声出力手段及び音声入力手段に対向する位置に設けた第１及び第２の開口部により当該第１及び第２の開口部を介して収納状態のままで音声入出力することができ、また表示手段に対向する位置に設けた透過性部材でなる表示窓により収納状態のままで表示手段部を視認することができ、さらに間接入力部による操作キーの上押しによつて収納状態のままで指示入力を行うことができる。
【００１０】
【発明の実施の形態】
以下図面について、本発明の一実施例を詳述する。
【００１１】
（１）第１実施例
図９との対応部分に同一符号を付して示す図１において、１０は収納ケースを示し、移動通信端末装置１を収納するようになされている。収納ケース１０は合成樹脂材等の硬質な部材で移動通信端末装置１とほぼ同形状に成形されており、ケース本体を２分割したケース本体半体でなる上蓋部１０Ａ及び下蓋部１０Ｂとからなる。上蓋部１０Ａ及び下蓋部１０Ｂは分割端面を形成する４辺のうち所定の１辺である長辺１０Ｃの端面部で接続しており、長辺１０Ｃを軸として開閉自在になされている。収納ケース１０は、こうして上蓋部１０Ａ及び下蓋部１０Ｂを閉状態とした場合に形成される内部空間に移動通信端末装置１を収納する。
【００１２】
また収納ケース１０は上蓋部１０Ａ及び下蓋部１０Ｂに、長辺１０Ｃに隣接する一方の短辺１０Ｄのアンテナ４に対応する位置で溝を形成している。収納ケース１０は当該溝にアンテナ４を係合させた状態で移動通信端末装置１を収納するようになされている。また収納ケース１０は、上蓋部１０Ａ及び下蓋部１０Ｂ内側の各角部にゴムパツド１１を設けており、これによつて収納時、移動通信端末装置１を支持及び固定すると共にケース外部から加えられる衝撃を緩和して移動通信端末装置１を保護するようになされている。
【００１３】
さらに収納ケース１０は長辺１０Ｃに対向する長辺１０Ｅにロツク部１２を有しており、これにより上蓋部１０Ａと下蓋部１０Ｂとを閉じた状態で固定するようになされている。図２（Ａ）に示すように、ロツク部１２は上蓋部１０Ａの長辺１０Ｅ側の周側面に形成した板状部材でなり、上蓋部１０Ａと下蓋部１０Ｂとを閉じた状態での下蓋部１０Ｂ方向に突出している。ロツク部１２は突出側の先端に湾曲部を有するツメ状部分を有しており、当該ツメ状部分を下蓋部１０Ｂの周側面に形成した溝に嵌合することにより上蓋部１０Ａと下蓋部１０Ｂとの当接面を固定する。
【００１４】
すなわち図２（Ｂ）に示すように、上蓋部１０Ａと下蓋部１０Ｂとを閉じようとした場合、ロツク部１２のツメ状部分が下蓋部１０Ｂに押し付けられ、この応力によつて板状部分がたわむと共に湾曲部分の形状に沿つて外側方向に押し広げられる。そして図２（Ｃ）に示すように、上蓋部１０Ａと下蓋部１０Ｂとが閉じた状態となつた場合、ロツク部１２の先端のツメ状部分が下蓋部１０Ｂの溝の位置まで移動しており、たわんだ板状部分の復元力によつて溝部分に嵌合する。こうして溝部分にツメ状部分を嵌合することにより、ロツク部１２は上蓋部１０Ａと下蓋部１０Ｂとを閉じた状態で固定する。
【００１５】
また収納ケース１０は上蓋部１０Ａに移動通信端末装置１が使用上備えている構成に対応する構成として、スピーカ穴１３、マイク穴１４、透過窓１５、押圧ボタン１６、ＬＥＤ窓１７を設けている。このため図３に示すように、収納ケース１０は移動通信端末装置１の収納時、上蓋部１０Ａに設けた上述の構成が、数字キー５に対するキー配置やスピーカ２及びマイク３に対する位置等、移動通信端末装置１とほぼ同様の配置構成となつている。
【００１６】
すなわち図４に示すように、収納ケース１０の上蓋部１０Ａに移動通信端末装置１の構成に対応して設けられた構成はスピーカ穴１３、マイク穴１４、透過窓１５、押圧ボタン１６、ＬＥＤ窓１７でなり、収納ケース１０はこれらの構成をそれぞれスピーカ２、マイク３、表示部６、数字キー５、ＬＥＤ７に対応する位置に配している。
【００１７】
スピーカ穴１３は円形状の貫通孔であり、収納状態の移動通信端末装置１のスピーカ２に対向する位置のすり鉢状部分に形成されている。また同様にマイク穴１４は円形状の貫通孔であり、収納状態にある移動通信端末装置１のマイク３に対向する位置に形成されている。収納ケース１０はスピーカ穴１３及びマイク穴１４を介して、収納した移動通信端末装置１のスピーカ２から音声を出力し又マイク３に音声を入力する。透過窓１５は透過性の部材を用いて、収納状態にある移動通信端末装置１の表示部６に対向する位置で上蓋部１０Ａに形成されており、表示部６とほぼ同じ大きさでなる。収納ケース１０は当該透過窓１５を介して表示部６を視認し得るようになされている。
【００１８】
押圧ボタン１６は収納状態にある移動通信端末装置１の数字キー５に対向する位置で上蓋部１０Ａに形成されている。押圧ボタン１６は上蓋部１０Ａの成形時に一体となるように取りつけられていると共に、操作時の押圧によつて押圧されたキーが上下方向に可動する。押圧ボタン１６の数字キー５と対向する面には凸部が形成されており、所定の押圧ボタン１６が押圧された場合、当該押圧ボタン１６の凸部が対応する数字キー５を上押しする。例えば押圧ボタン１６の「１」のキーを押圧した場合、当該キーに対向する数字キー５の「１」のキーを上押しする。
またＬＥＤ窓１７は透過性の部材を用いて、収納状態にある移動通信端末装置１のＬＥＤ７に対向する位置で上蓋部１０Ａに形成されており、着信等をユーザに通知するＬＥＤ７の点滅時、当該ＬＥＤ窓１７を介してＬＥＤ７を視認し得るようになされている。
【００１９】
以上の構成において、移動通信端末装置１は収納ケース１０の下蓋部１０Ｂ内部に載置され、この状態で上蓋部１０Ａが閉じられることにより収納される。移動通信端末装置１を収納した状態の収納ケース１０は、上蓋部１０Ａに設けられたロツク部１２を下蓋部１０Ｂに形成された溝部に嵌合させることにより、上蓋部１０Ａと下蓋部１０Ｂとの当接面が固定される。
【００２０】
こうした収納状態でユーザが上蓋部１０Ａに設けられている押圧ボタン１６を押圧した場合、押圧された押圧ボタン１６に対向する位置の数字キー５が押圧ボタン１６の凸部によつて上押しされる。上押しにより押圧された数字キー５からの入力によつて移動通信端末装置１には、上押しされたキーに応じた数字又は文字が入力される。またこうした操作時に表示部６に数字や文字が表示された場合、ユーザは透過窓１５を介して表示部６に表示される文字や数字を視認する。さらに移動通信端末装置１による通話時、スピーカ２から出力される相手側の音声はスピーカ穴１３を介して外部に出力され、またユーザの音声は外部からマイク穴１４を介してマイク３に入力される。また着信時にＬＥＤ７が点滅した場合、ユーザはＬＥＤ窓１７を介してＬＥＤ７の点滅を視認する。
【００２１】
このように収納ケース１０は、移動通信端末装置１を収納して傷及び汚れから保護することができる。また傷や汚れが生じた場合でも、こうした傷及び汚れは収納ケース１０に生じるため、収納ケース１０を交換することで傷や汚れに容易にかつ低コストで対応し得る。また収納ケース１０は移動通信端末装置１と同様な構成配置、すなわちデザインでなるため、収納時においても移動通信端末装置１のデザインを隠すことなく、所持携帯することができる。
【００２２】
さらに収納ケース１０はスピーカ穴１３及びマイク穴１４を介して音声を入出力でき、また押圧ボタン１６によつて移動通信端末装置１への指示入力を行うことができ、透過窓１５を介して表示部６に表示される数字や文字を視認でき又ＬＥＤ窓１７を介してＬＥＤ７の点滅による着信通知を視認し得る。これによりユーザは、収納状態のままで移動通信端末装置１を操作して通話を行い得る。また、このように通話時においても収納ケース１０から移動通信端末装置１を取り出す必要が無いため、収納ケース１０は上述した傷及び汚れから移動通信端末装置１を常に保護し得る。
【００２３】
以上の構成によれば、硬質な樹脂材でなる収納ケース１０に移動通信端末装置１を収納するようにしたことにより移動通信端末装置１を収納して衝撃等から保護し得ると共に、スピーカ穴１３及びマイク穴１４、透過性の部材でなる透過窓１５、押圧ボタン１６を介して音声の入出力、表示部６の視認、及び所定の指示入力を行うことができ、かくするにつき、傷や汚れから移動通信端末装置１を保護し得ると共に、当該収納状態のままで移動通信端末装置１を使用し得る。
【００２４】
（２）第２実施例
図４との対応部分に同一符号を付して示す図５において、２０は収納ケースを示し、収納ケース１０（図１）とほぼ同様の構成でなる。すなわち収納ケース２０は収納ケース１０と同様に合成樹脂等の硬質な部材で一体成形されており、ケース本体を所定位置で２分割した上蓋部１０Ａと下蓋部１０Ｂとが当接面を形成する４辺のうち所定の１辺である長辺１０Ｃ（図示せず）で接続している。収納ケース２０は上蓋部１０Ａと下蓋部１０Ｂとを長辺１０Ｃを軸として開閉自在とするようになされており、これにより形成する内部空間に移動通信端末装置１を収納するようになされている。
【００２５】
また収納ケース２０は、上述の収納ケース１０と同一の構成に加えて、様々な機能を付加する構成を有している。すなわち収納ケース２０は上蓋部１０Ａ及び下蓋部１０Ｂの分割端面上にパツキング２１を配しており、収納時に上蓋部１０Ａと下蓋部１０Ｂとによつてパツキング２１を挟み込むことによつて、収納ケース２０の内部空間を密閉する。さらに収納ケース２０は収納ケース１０に設けられているスピーカ穴１３、マイク穴１４、透過窓１５、押圧ボタン１６に換えて、スピーカ穴２２、マイク穴２３、透過窓２４、押圧ボタン２５を設けている。但し、それぞれの配置位置は収納ケース１０の場合と同位置である。
【００２６】
スピーカ穴２２は円形状の貫通孔であり、収納状態の移動通信端末装置１のスピーカ２に対向する位置のすり鉢状部分に形成されている。また同様にマイク穴２３は円形状の貫通孔であり、収納状態にある移動通信端末装置１のマイク３に対向する位置に形成されている。収納ケース２０はスピーカ穴２２及びマイク穴２３を介して、収納した移動通信端末装置１のスピーカ２から音声を出力し又マイク３に音声を入力する。またスピーカ穴２２及びマイク穴２３は、水の侵入を遮断すると共に音声の入出力を妨げない部材を用いた防水シートを配している。収納ケース２０は当該防水シートによつて内部空間を防水するようになされている。
【００２７】
透過窓２４は透過性の部材を用いて、収納状態にある移動通信端末装置１の表示部６に対向する位置で上蓋部１０Ａに形成されており、表示部６とほぼ同じ大きさでなる。収納ケース２０は当該透過窓２４を介して表示部６を視認し得るようになされている。また透過窓２４は表示部６との対向面の他方の面が球面状に湾曲した突出形状で形成されており、当該形状によるレンズ効果によつて表示部６に表示される文字表示等を拡大するようになされている。
【００２８】
押圧ボタン２５は収納状態にある移動通信端末装置１の数字キー５に対向する位置で上蓋部１０Ａに形成されている。押圧ボタン２５は上蓋部１０Ａの成形時に一体となるように取りつけられていると共に、操作時の押圧によつて押圧されたキーが上下方向に可動するようになされている。押圧ボタン２５の数字キー５と対向する面には凸部が形成されており、所定の押圧ボタン２５が押圧された場合、当該押圧ボタン２５の凸部が対応する数字キー５を上押しする。また図６に示すように、３列でなる押圧ボタン２５は中央部のキーでは中心位置に凸部を形成すると共に両脇部のキーでは中央部のキー側寄りの位置に凸部を形成することにより、各キー幅及び各キー間の間隔を数字キー５に比して大きめに形成しており、これに伴い各キー表面に印字する文字も大きくするようにしている。
【００２９】
以上の構成において、移動通信端末装置１は収納ケース２０の下蓋部１０Ｂ内部に載置され、この状態で上蓋部１０Ａが閉じられることにより収納される。こうした収納状態でユーザが上蓋部１０Ａに設けられている押圧ボタン２５を押圧した場合、押圧された押圧ボタン２５に対向する位置の数字キー５が押圧ボタン２５の凸部によつて上押しされる。上押しにより押圧された数字キー５からの入力によつて移動通信端末装置１には、上押しされたキーに応じた数字又は文字が入力される。またこうした操作時に表示部６に所定の情報が表示された場合、ユーザは透過窓２４を介して表示部６に表示される文字や数字を視認する。さらに移動通信端末装置１による通話時、スピーカ２から出力される相手側の音声はスピーカ穴２２を介して外部に出力され、またユーザの音声は外部からマイク穴２３を介してマイク３に入力される。
【００３０】
このように収納ケース２０は、移動通信端末装置１を収納して移動通信端末装置１を傷及び汚れから保護することができる。また傷や汚れが生じた場合でも、こうした傷及び汚れは収納ケース２０に生じるため、収納ケース２０を交換することで傷や汚れに容易にかつ低コストで対応し得る。また収納ケース２０は移動通信端末装置１と同様な構成配置、すなわちデザインでなるため、収納時においても移動通信端末装置１のデザインを隠すことなく、所持携帯することができる。
【００３１】
さらに収納ケース２０はスピーカ穴２２及びマイク穴２３を介して音声を入出力でき、また押圧ボタン２５によつて移動通信端末装置１への指示入力を行うことができ、透過窓２４を介して表示部６に表示される数字や文字を視認できる。これによりユーザは、収納状態のままで移動通信端末装置１を操作して通話を行い得る。また、このように通話時においても収納ケース２０から移動通信端末装置１を取り出す必要が無いため、収納ケース２０は上述した傷及び汚れから移動通信端末装置１を常に保護し得る。
【００３２】
また押圧ボタン２５は両脇側のキーの凸部を中央部のキー側寄りにずらして形成する（図６）ことにより、移動通信端末装置１の数字キー５に比して、各キー間隔を広げると共にキーの大きさを大きめにすることができ、さらにキーに印字する文字サイズを大きくし得る。さらに透過窓２４は表示部６の対向面の裏面が球面状に湾曲した突出形状で形成されており、これにより凸レンズとして機能して表示部６に表示される数字や文字を拡大表示することができる。このように収納ケース２０は押圧ボタン２５及び透過窓２４を設けたことにより、各キー間隔の狭さ及びキー自体の小ささにより生じるキーの押し間違い等の誤操作を防止すると共に印字文字を見易くすることができ、また表示部６の表示を拡大してユーザが容易に視認し得るようにできる。これにより収納ケース２０は移動通信端末装置１の小型化による使い易さの低下を補つて、移動通信端末装置１の小型化に関わらずに使い易さの向上を得ることができる。
【００３３】
また収納ケース２０は上蓋部１０Ａと下蓋部１０Ｂとの当接面にパツキング２１を、またスピーカ穴２２及びマイク穴２３に防水シートを配しており、これによつて内部の密閉状態を保持している。従来、移動通信端末装置１は、それ自体が防水機能を有していたが、この場合、防水機能の付加によつて小型化が困難となる。また小型化と防水機能の付加とを両立させた場合、防水構造を形成する空間が限定されるために機能的に防水が不十分なものとなる可能性がある。
したがつて、このように収納ケース２０にパツキング２１及び防水シートを配したスピーカ穴２２及びマイク穴２３を設けたことにより、移動通信端末装置１に防水機能を持たせる場合に比して簡易な構成でより確実な防水機能を、移動通信端末装置１の小型化を妨げること無く付加することができる。これにより移動端末装置１は従来設けていた防水機能を削除して、より小型化することが可能となる。
【００３４】
以上の構成によれば、パツキング２１、防水シートを配したスピーカ穴２２及びマイク穴２３、透過性の部材をレンズ状に形成した透過窓２４、数字キー５に比して各キー間隔及びキーサイズを大きく形成した押圧ボタン２５を設けた収納ケース２０に移動通信端末装置１を収納するようにしたことにより、収納状態のままで移動通信端末装置１を使用し得、またキーの押し間違い等の誤操作を防止し得ると共に表示部６の表示を拡大してユーザが容易に視認し得るようにでき、さらに簡易な構成でより確実な防水機能を得ることができ、かくするにつき、傷や汚れから移動通信端末装置１を保護し得る収納状態のままで移動通信端末装置１を使用することができ、また移動通信端末装置１の小型化による使い易さの低下を補つて、移動通信端末装置１の小型化を妨げること無く使い易さの向上を得ることができる。
【００３５】
（３）他の実施例
なお上述の第１及び第２実施例においては、上蓋部１０Ａと下蓋部１０Ｂとが当接面を形成する４辺のうち所定の１辺である長辺１０Ｃで接続されている収納ケース１０及び２０の場合について述べたが、本発明はこれに限らず、例えばアンテナ４を係合される溝を設けた短辺１０Ｄに対向する他方の短辺で接続するようにしてもよい。
【００３６】
また上述の第１及び第２実施例においては、上蓋部１０Ａ及び下蓋部１０Ｂ内側の各角部にゴムパツド１１を設けて、収納時に移動通信端末装置１を支持すると共に外部からの衝撃を緩和する場合について述べたが、本発明はこれに限らず、例えば移動通信端末装置１を囲むように収納ケース内部の側面及び底面に緩衝材としてゴムパツドを配すると共に収納ケースを形成する部材として高衝撃用の衝撃吸収部材を用いるようにしてもよい。これにより点で無く面によつて外部から与えられる衝撃を高効率で吸収すると共に分散させて、より強い衝撃に対する耐衝撃性を得ることができ、強度の衝撃が加えられることが予測されるような特殊な環境下での移動通信端末装置の使用を可能にし得る。
【００３７】
さらに上述の第２実施例においては、上蓋部１０Ａ及び下蓋部１０Ｂとの当接面にパツキング２１を設けて外部からの水の侵入を防止し、これにより防水性を得ている収納ケース２０の場合について述べたが、本発明はこれに限らず、例えばパツキングとしてより密閉性の高い部材を設け、またスピーカ穴２２及びマイク穴２３に配する防水シートにより高細密な目を有する部材を用いるようにしてもよい。これにより防水性のみならず、より高い防塵性を得ることができる。
【００３８】
また上述の第１及び第２実施例においては、円形状で形成されたスピーカ穴１３及びマイク穴１４、又はスピーカ穴２２及びマイク穴２３を設けた上蓋部１０Ａの場合について述べたが、本発明はこれに限らず、例えばスピーカ２及びマイク３に対向する位置に、複数の小孔を設けるようにしてもよい。
【００３９】
さらに上述の第１及び第２実施例においては、円形状で形成されたスピーカ穴１３及びマイク穴１４、又はスピーカ穴２２及びマイク穴２３を設けた上蓋部１０Ａの場合について述べたが、本発明はこれに限らず、例えば角形でなる穴を設けるようにしてもよい。
【００４０】
また上述の第１及び第２実施例においては、移動通信端末装置１とほぼ同形状でなる収納ケース１０及び２０の場合について述べたが、本発明はこれに限らず、例えばスピーカ穴を設けた上部及び又はマイク穴を設けた下部を中央部に比して大きめに形成した、くびれた形状としてもよい。これによりスピーカ穴を設けたすり鉢状部分を大きめに形成でき、またユーザが把持する中央部分を小さめにし得、スピーカ穴に耳をあてた際の耳触り感及び収納ケースをユーザが把持した際の手持ち感を向上させることができる。
【００４１】
また上述の第２実施例においては、表示部６との対向面の裏面を球形状に突出して形成した透過窓２４の場合について述べたが、本発明はこれに限らず、例えば表示部６との対向面を球形状に窪ませて形成するようにしてもよい。これにより表示窓に凹レンズとしての効果を得ることができ、実施例の場合と同様に表示部６に出力表示される文字や数字等を拡大して視認することができる。
【００４２】
また上述の第２実施例においては、小型化に伴つて削除される機能を移動通信端末装置１に付加し得るようになされた収納ケース２０の場合について述べたが、本発明はこれに限らず、例えば移動通信端末装置１を収納して余つた余剰空間に鏡を配したり又小物入れを設けたりして、削除される機能以外の機能を付加するようにしてもよい。
【００４３】
さらに上述の第１及び第２実施例においては、移動通信端末装置１を収納する収納ケース２０の場合について述べたが、本発明はこれに限らず、下蓋部１０Ｂの底面部をやや厚みを持たせて形成し、当該厚み部分に例えば薄型のカードタイプでなるラジオを内蔵するようにしてもよい。この際、下蓋部１０Ｂ側に当該ラジオの操作部を設けるようにすれば、上蓋部１０Ａ側で移動通信端末装置１を操作し又下蓋部１０Ｂ側でラジオを操作して表と裏との面をそれぞれ使い分けることができ、移動通信端末装置１と異なる他の装置とを複合することができる。
【００４４】
また上述の第１及び第２実施例においては、上蓋部１０Ａと下蓋部１０Ｂとを長辺１０Ｃで接続している収納ケース１０及び２０の場合について述べたが、本発明はこれに限らず、例えば上蓋部１０Ａと下蓋部１０Ｂとを接続せずに、それぞれ独立したものとしてもよい。この場合、対向する長辺又は短辺にそれぞれ嵌合部又はロツク部を設けるようにすれば、実施例と同様の効果を得ることができる。
【００４５】
また上述の第１及び第２実施例においては、上蓋部１０Ａの成形時に一体となるように取りつけられる押圧ボタン１６及び２５を設けた場合について述べたが、本発明はこれに限らず、例えば上蓋部１０Ａの成形後に押圧ボタンを後付けするようにしてもよい。但し、押圧ボタンは操作時に上下に可動する可動部であるため、操作時に押圧ボタンの隙間からケース内部に水及び塵が侵入しないように、当該押圧ボタン部分に被膜を形成する等して防水、防塵処理を施す必要がある。
【００４６】
また上述の第１及び第２実施例においては、例えば押圧ボタン１６又は２５の「１」のキーを押圧した場合、数字キー５の「１」のキーを上押しして「１」を入力するようにした場合について述べたが、本発明はこれに限らず、例えば上蓋部１０Ａの移動通信端末装置１に対向する面に切換え釘を設けると共に移動通信端末装置１の切換え釘に対向する位置に切換え釦を設けて、移動通信端末装置１を収納した際に切換え釘によつて切換え釦を押圧するようにすることにより、移動通信端末装置１の収納時に所望のキー配列に切り換えたり又は所望の機能を使用し得るようにしてもよい。
【００４７】
また上述の第１及び第２実施例においては、移動通信端末装置１と同じデザインでなる収納ケース１０及び２０の場合について述べたが、本発明はこれに限らず、例えば異なるデザインでなる収納ケースに移動通信端末装置１を収納するようにしてもよい。従来、異なるデザインの移動通信端末装置１を得るためにはユーザは新たに移動通信端末装置１を購入する必要があつたが、異なるデザインでなる収納ケース１０又は２０を複数所持することにより、ユーザは用途等に応じて様々なデザインを楽しむことができ、異なるデザインの移動通信端末装置１を複数台所持するような楽しみを比較的低コストで得ることができる。
【００４８】
また上述の第２実施例においては、上蓋部１０Ａの周側面上に形成したロツク部１２のツメ状部分を下蓋部１０Ｂの周側面上の対応する位置に形成した溝に嵌合することにより、上蓋部１０Ａと下蓋部１０Ｂとを閉じた状態で固定する場合について述べたが、本発明はこれに限らず、他の形状でなるロツク部を設けるようにしてもよい。
【００４９】
例えば図７に示すように、２６は先端が鉤状に形成されたロツク部を示し、下蓋部１０Ｂの長辺１０Ｅ側の周側面に回転軸を介して取り付けられている。また上蓋部１０Ａの長辺１０Ｅ側の周側面には凸部が設けられており、当該凸部の上面に溝が形成されている。ロツク部２６は回転軸を中心に回動して上蓋部１０Ａの凸部上面に形成された溝に鉤状の先端部を嵌合することによつて、上蓋部１０Ａ及び下蓋部１０Ｂの当接面を固定する。
【００５０】
また図８（Ａ）に示すように、２７はほぼ凹形状でなるロツク部を示し、下蓋部１０Ｂの長辺１０Ｅ側の周側面に形成された凸部に取り付けられている。ロツク部２７は当該凸部に沿つて自在にスライドし得るようになされている。また上蓋部１０Ａには下蓋部１０Ｂ側の凸部に比して長辺側の短い凸部が形成されている。図８（Ｂ）に示すように、ロツク部２７は上蓋部１０Ａ及び下蓋部１０Ｂを当接した状態で上蓋部１０Ａ側の凸部方向にスライドさせ上蓋部１０Ａ側の凸部の位置まで移動させることにより、当該位置で上蓋部１０Ａ側の凸部及び下蓋部１０Ｂ側の凸部を共に把持した状態となり、これにより上蓋部１０Ａ及び下蓋部１０Ｂの当接面を固定する。
【００５１】
【発明の効果】
上述のように本発明によれば、音声出力手段及び音声入力手段と、所定の情報を出力表示する表示手段と、押圧に応じて所定の指示情報を入力する複数の操作キーでなる指示入力手段とを有する移動通信端末装置を内部空間に収納する収納ケースにおいて、硬質な樹脂材により形成されてなるケース本体を所定位置で２分割した構成でなり、当該分割端面を互いに当接することにより内部空間を形成する第１及び第２のケース本体半体と、第１のケース本体半体に音声出力手段と対向する位置で形成した貫通孔でなる第１の開口部と、第１のケース本体半体に音声入力手段と対向する位置で形成した貫通孔でなる第２の開口部と、第１のケース本体半体に表示手段と対向する位置で設けた透過性の部材でなる表示窓と、第１のケース本体半体に指示入力手段と対向する位置で配した複数の押圧ボタンでなり、ケース外側方向からの押圧に応じて操作キーの方向に可動して、対応する操作キーを上押しする間接入力部とを設けたことにより、ケース本体内に移動通信端末装置を収納して保護し得ると共に、第１及び第２の開口部を介して収納状態のままで音声入出力することができ、また透過性部材でなる表示窓により収納状態のままで表示手段部を視認することができ、さらに間接入力部による操作キーの上押しにより収納状態のままで指示入力を行うことができ、かくするにつき、移動通信端末装置を収納して保護し得ると共に収納状態で移動通信端末装置を使用し得る。
【図面の簡単な説明】
【図１】本発明の第１実施例による収納ケースの構成を示す斜視図である。
【図２】ロツク部の構成の説明に供する略線図である。
【図３】収納ケースの閉状態を示す斜視図である。
【図４】収納ケース側の構成及び移動通信端末装置側の構成の対応位置関係の説明に供する断面図である。
【図５】本発明の第２実施例による収納ケースの構成を示す断面図である。
【図６】押圧ボタンの配置状態の説明に供する断面図である。
【図７】他の実施例によるロツク部の構造の説明に供する略線図である。
【図８】他の実施例によるロツク部の構造の説明に供する略線図である。
【図９】移動通信端末装置の構成を示す略線図である。
【符号の説明】
１……移動通信端末装置、２……スピーカ、３……マイク、４……アンテナ、５……数字キー、６……表示部、７……ＬＥＤ、１０、２０……収納ケース、１０Ａ……上蓋部、１０Ｂ……下蓋部、１０Ｃ……一方の長辺、１０Ｄ……短辺、１０Ｅ……他方の長辺、１１……ゴムパツド、１２、２６、２７……ロツク部、１３、２２……スピーカ穴、１４、２３……マイク穴、１５、２４……透過窓、１６、２５……押圧ボタン、１７……ＬＥＤ窓、２１……パツキング。
【図１】
0003700887.tif 000002
【図２】
0003700887.tif 000003
【図３】
0003700887.tif 000004
【図４】
0003700887.tif 000005
【図５】
0003700887.tif 000006
【図６】
0003700887.tif 000007
【図７】
0003700887.tif 000008
【図８】
0003700887.tif 000009
【図９】
0003700887.tif 000010